(57)【要約】【課題】装着性および感度を向上可能なイヤホンを提供する。【解決手段】振動板１９８を有し、音声信号に応じて振動板を駆動するドライバユニット１９０と、ドライバユニットを収納し、振動板の前面を囲む空間を形成するハウジング１１０と、振動板を振動板の前面側に投影した投影面に相当する、ハウジング上の領域以外にハウジングの外側に向けて突設し、振動板の前面の空間を外部に連通させる音導管１４０と、を備えるイヤホン１００が提供される。かかる構成によれば、音導管が外耳道ａに挿入された状態で、振動板を外耳道以外の方向を向くように配設することが可能となり、耳介の形状による制約を受け難いユーザの側面方向にハウジングの幅を拡張することが可能となる。これにより、ユーザの側面方向にハウジングの幅を拡張することで、耳介との干渉を生じることなしに、ハウジングを大型化することが可能になる。【選択図】図４
2009055248.tif 000002
【特許請求の範囲】
【請求項１】
振動板を有し、音声信号に応じて前記振動板を駆動するドライバユニットと、
前記ドライバユニットを収納し、前記振動板の前面を囲む空間を形成するハウジングと、
前記振動板を前記振動板の前面側に投影した投影面に相当する、前記ハウジング上の領域以外に前記ハウジングの外側に向けて突設し、前記振動板の前面の空間を外部に連通させる音導管と、
を備えることを特徴とする、イヤホン。
【請求項２】
前記音導管は、前記振動板の中心軸に対して略垂直方向で前記ハウジングに突設することを特徴とする、請求項１に記載のイヤホン。
【請求項３】
弾性材料により形成され、前記音導管の先端部を囲んで配設される耳介装着部をさらに備えることを特徴とする、請求項２に記載のイヤホン。
【請求項４】
前記振動板の装着面に対して垂直で、かつ、前記音導管の中心軸を含む断面において、前記振動板の装着面は、前記音導管の対向する内面の間に配置されることを特徴とする、請求項２に記載のイヤホン。
【請求項５】
前記ハウジングが前記振動板の後面を囲む空間を形成し、
前記振動板の後面を囲む空間を、前記振動板の前面を囲む空間に連通させる通気孔と、
圧縮可能な通気性材料により形成され、前記通気孔を覆うように配設される通気抵抗体と、
前記通気抵抗体の圧縮率を調整することで、前記通気抵抗体の通気性を調整可能な通気性調整部材と、
をさらに備えることを特徴とする、請求項１に記載のイヤホン。
【発明の詳細な説明】
【技術分野】
【０００１】
本発明は、イヤホンに関する。
【背景技術】
【０００２】
イヤホンは、振動板を有するドライバユニットと、ドライバユニットを収納するハウジングとを含み、ドライバユニットが音声信号に応じて振動板を駆動することで、音声信号に対応する可聴域の音波を発生させる。
【０００３】
例えば、下記特許文献１に示すラテラル・イン・ジ・イヤー形式のイヤホンは、ユーザの耳珠および対珠にハウジングを保持させることで、ユーザの耳に装着される。かかるイヤホンでは、耳介の形状がユーザに応じて異なるので、イヤホンの装着時に、ハウジングと外耳道との間に隙間が生じ、音漏れにより低音域の音質が劣化するという問題があった。また、耳珠および対珠の形状がユーザに応じて異なるので、耳珠および対珠にハウジングを適切に保持させることができない、または保持させることができても装着性が低下するという問題があった。
【０００４】
一方、下記特許文献２に示すバーティカル・イン・ジ・イヤー形式のイヤホンは、保持具を用いて、ユーザの外耳道の入口に対向して振動板を配置可能とすることで、外耳道の入口周辺の形状による影響を受け難くし、比較的安定した音質を提供することができる。かかるイヤホンでは、イヤホンの装着時に、ヘッドバンド、イヤハンガーなどの保持具が必要となるので、携帯性が悪く、長時間の装着に際しては装着性が低下するという問題があった。
【０００５】
上記イヤホンの問題点を解消するために改良されたイヤホンとして、耳栓型と称されるイヤホンがある。かかるイヤホンは、例えば、図５に示すように、略球形状のハウジング１１、ハウジング１１に突設した略円筒状の音導管１４、音導管１４の先端部に取付けられたイヤピース１５を含む。また、イヤホン１０は、ハウジング１１から延設されたブッシング１６、ブッシング１６により保持されたコード１７を含む。なお、図５（Ａ）は、イヤホン１０をＹ−Ｚ平面上で見た側面図であり、図５（Ｂ）は、イヤホン１０をＸ−Ｚ平面上で見た背面図であり、図５（Ｃ）は、イヤホン１０をＸ−Ｙ平面上で見た上面図である。
【０００６】
ハウジング１１は、振動板を有するドライバユニットを収納しており、例えば、音声再生装置などの外部装置からコード１７を介して供給される音声信号に応じて、ドライバユニットが振動板を駆動することで、音声信号に対応する可聴域の音波を発生させるように構成されている。音導管１４は、ハウジング１１の正面側の中央部に突設しており、イヤピース１５を介して外耳道ａに挿入され、ハウジング１１で発生した音波を外耳道ａに導出する。イヤピース１５は、弾性材料により形成され、装着時に外耳道ａの形状に追従して変形することで外耳道ａに密着し、ユーザの外耳道ａにハウジング１１を保持させる。これにより、振動板の前面とユーザの鼓膜との間に形成される空間の密閉性が向上し、比較的安定した音質を提供することができる。
【０００７】
【特許文献１】特公平６−８１３５１号公報
【特許文献２】特公平６−５９１２０号公報
【発明の開示】
【発明が解決しようとする課題】
【０００８】
しかし、かかるイヤホン１０では、装着状態を説明する図６（Ａ）に示すように、ハウジング１１と耳珠ｂおよび対珠ｃとの干渉を避けるためにハウジング１１の幅Ｗ１が制限され、ハウジング１１に収納される、振動板を含むドライバユニットの大きさも制限される。よって、イヤホン１０では、振動板の大きさが制限されるとともに、振動板の前面に形成される空間の大きさが制限される。これにより、イヤホン１０では、振動板により十分な空気振動を発生させることができず、電力出力が制限される携帯型再生装置などに接続して使用する場合には、十分な感度を提供することが困難となる。
【０００９】
一方、図６（Ｂ）に示すように、幅Ｗ１よりも大きな幅Ｗ２を伴うハウジング１０’を用いる場合には、拡張された幅Ｗ２に応じて振動板を大きくすることができる。しかし、ハウジングと耳珠ｂおよび対珠ｃとの干渉が生じてしまうので、装着状態を維持すること、または装着すること自体が困難となる。
【００１０】
すなわち、従来の耳栓型のイヤホン１０では、装着性を確保するために振動板の大きさが制限されてしまうので、振動板を大型化することにより感度を向上させることができないという問題があった。
【００１１】
本発明は上記問題点に鑑みてなされたものであり、その目的は、装着性および感度を向上可能な、新規かつ改良されたイヤホンを提供することにある。
【課題を解決するための手段】
【００１２】
上記課題を解決するために、本発明のある観点によれば、振動板を有し、音声信号に応じて振動板を駆動するドライバユニットと、ドライバユニットを収納し、振動板の前面を囲む空間を形成するハウジングと、振動板を振動板の前面側に投影した投影面に相当する、ハウジング上の領域以外にハウジングの外側に向けて突設し、振動板の前面の空間を外部に連通させる音導管と、を備えるイヤホンが提供される。
【００１３】
かかる構成によれば、音導管は、振動板を振動板の前面側に投影した投影面に相当する、ハウジング上の領域以外にハウジングの外側に向けて突設している。よって、音導管が外耳道に挿入された状態で、振動板を外耳道以外の方向を向くように配設することが可能となり、耳介の形状による制約を受け難いユーザの側面方向にハウジングの幅を拡張することが可能となる。これにより、ユーザの側面方向にハウジングの幅を拡張することで、耳介との干渉を生じることなしに、ハウジングを大型化することが可能になる。また、相対的に、ユーザの正面方向に対してハウジングを薄型化することが可能となるので、従来のイヤホンに比して、外耳道のより奥部へ音導管を挿入させて密閉性を向上させることが可能となる。結果として、イヤホンの装着性および感度を向上させることができる。
【００１４】
また、上記音導管は、振動板の中心軸に対して略垂直方向でハウジングに突設してもよい。かかる構成によれば、音導管が振動板の中心軸に対して略垂直方向でハウジングに突設するので、音導管が外耳道と略同軸をなすようにイヤホンが装着された状態で、振動板は、その中心軸がユーザの正面方向と略平行をなすように配される。これにより、ユーザの側面方向にハウジングの幅を拡張することで、耳介との干渉を生じることなしに、ハウジングを大型化することができる。
【００１５】
また、弾性材料により形成され、音導管の先端部を囲んで配設される耳介装着部をさらに備えてもよい。かかる構成によれば、音導管の先端部に弾性材料からなる耳介装着部（イヤピース）が配設されるので、耳介装着部を外耳道に装着させてハウジングを保持させることができる。これにより、耳介装着部以外の装着手段を要することなしに、安定的にイヤホンを耳に装着することができる。
【００１６】
また、上記振動板の装着面に対して垂直で、かつ、音導管の中心軸を含む断面において、振動板の装着面は、音導管の対向する内面の間に配置されてもよい。かかる構成によれば、振動板の装着面が音導管の対向する内面の間に配置されるので、ユーザの正面方向に対してハウジングを薄型化することが可能となる。これにより、従来のイヤホンに比して、外耳道のより奥部へ音導管を挿入させて、密閉性を向上させることができる。
【００１７】
また、上記ハウジングが振動板の後面を囲む空間を形成し、振動板の後面を囲む空間を、振動板の前面を囲む空間に連通させる通気孔と、圧縮可能な通気性材料により形成され、通気孔を覆うように配設される通気抵抗体と、通気抵抗体の圧縮率を調整することで、通気抵抗体の通気性を調整可能な通気性調整部材と、をさらに備えてもよい。かかる構成によれば、通気抵抗体の圧縮率を調整することで、振動板の後面空間と、振動板の前面空間との間の通気性が調整可能となるので、イヤホンの音質特性を容易に調整することができる。
【発明の効果】
【００１８】
本発明によれば、装着性および感度を向上可能なイヤホンを提供することができる。
【発明を実施するための最良の形態】
【００１９】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００２０】
（イヤホンの外観構成）
まず、本実施形態に係るイヤホン１００の外観構成について説明する。図１は、ユーザの左耳に装着されるイヤホン１００の外観を示している。図１（Ａ）は、イヤホン１００の装着状態を示している。図１（Ｂ）は、イヤホン１００を背面斜め方向から見た斜視図である。図１（Ｃ）は、装着された状態のイヤホン１００を、ユーザの略正面方向から見た前面図であり、図１（Ｄ）は、ユーザの略背面方向から見た後面図である。図１（Ｅ）は、イヤホン１００を正面から見た正面図であり、図１（Ｆ）は、背面から見た背面図（ユーザの略側面側から見た状態に相当する。）である。
【００２１】
図１に示すように、イヤホン１００は、略円盤状のハウジング１１０、ハウジング１１０に突設した略円筒状の音導管１４０、音導管１４０の先端部に取付けられたイヤピース１５０を含む。また、イヤホン１００は、背面側に突設したブッシング１６０、ブッシング１６０により保持されたコード１７０を含む。ハウジング１１０は、略Ｌ字状に屈折された前面キャップ１８０、および略半円筒状の後面キャップ１８５により部分的に覆われている。
【００２２】
ハウジング１１０は、筐体の小型・薄型化のために、例えば、マグネシウムなどの軽量で堅牢な材料で形成されている。因みに、ハウジング１１０をマグネシウムで形成することで、従来の樹脂素材に比して、ハウジング１１０全体の厚さが約３０％低減されている。ハウジング１１０は、振動板１９８を有するドライバユニット１９０を収納し、振動板１９８の前面を囲む空間Ａを形成している（図３（Ｂ）参照）。ドライバユニット１９０は、コード１７０を介して供給される音声信号に応じて振動板１９８を駆動することで、振動板１９８の前面空間Ａで空気振動を発生させる。なお、ハウジング１１０の上面には、振動板１９８の前面空間Ａをハウジング１１０の外部に連通させる通気孔１２６が設けられている。
【００２３】
音導管１４０は、イヤホン１００の正面側に突設するようにハウジング１１０と一体成形されており、イヤピース１５０を介して外耳道ａに挿入される。音導管１４０は、ドライバユニット１９０により発生された空気振動を、音声信号に対応する可聴域の音波として外耳道ａに導出する。
【００２４】
イヤピース１５０は、例えば、シリコンゴム、エラストマーなどの弾性材料により形成されている。イヤピース１５０は、ユーザの外耳道ａの形状に追従して変形することで、外耳道ａに密着した状態で、外耳道ａにハウジング１１０を保持させる。
【００２５】
ブッシング１６０は、例えば、エラストマーなどの弾性材料により形成されている。ブッシング１６０は、ドライバユニット１９０に接続されるコード１７０の引出し位置をハウジング１１０に対して固定する。ブッシング１６０は、耳介との干渉を考慮してハウジング１１０の背面側から延設され、イヤホン１００の装着時には略鉛直下向きをなし、ユーザが指先で掴むことができるように配されている。
【００２６】
前面キャップ１８０は、例えば、ステンレスなどにより形成され、後面キャップ１８５は、例えば、プラスチックなどにより形成されている。前面キャップ１８０および後面キャップ１８５は、ハウジング１１０、コード１７０、および後述する通気孔１２８、１３６などを保護している。
【００２７】
（イヤホンの内部構成）
つぎに、本実施形態に係るイヤホン１００の内部構成について説明する。図２は、イヤホン１００を分解した状態を示し、図３は、振動板１９８の装着面Ｐに対して垂直で、かつ、音導管１４０の中心軸Ｃ１を含む断面でイヤホン１００を示している。なお、図３（Ａ）は、特に、イヤホン１００の主要な構成部材を示し、図３（Ｂ）は、特に、イヤホン１００の音響回路特性に関する構成部材を示している。
【００２８】
図２および図３に示すように、ハウジング１１０は、各々が略椀状に形成された前面ハウジング１２０および後面ハウジング１３０で構成される。ハウジング１１０は、ドライバユニット１９０を収納した状態で、例えば、超音波溶着などにより、前面ハウジング１２０および後面ハウジング１３０を接合して形成される。
【００２９】
前面ハウジング１２０は、略椀状の前面部１２２、前面部１２２を構成する側壁の一部から突設した音導管１４０、側壁の他部から屈曲形成された屈曲部１２４を含む。イヤホン１００の装着時において、前面部１２２は、ユーザの略正面側に配され、音導管１４０は、ユーザの外耳道ａと略同軸をなすように配され、屈曲部１２４は、ユーザの略側面側に配される。
【００３０】
前面部１２２には、椀底に相当する部分に凹部１２３が形成され、屈曲部１２４との境界付近に通気孔１２８が形成されている。音導管１４０には、環状の係合凸部１４１が形成されている。屈曲部１２４は、ユーザの側面側から見てＵ字状の平面形状で、前面部１２２を構成する側壁から突設した側壁１２５を有している。屈曲部１２４には、ブッシング１６０、コード１７０などを収納するために、側壁１２５により囲まれた空間が形成される。そして、側壁１２５のうち前面部１２２との境界側に位置する部分には、通気孔１２６およびブッシング取付孔１２７が設けられている。
【００３１】
後面ハウジング１３０は、略椀状の後面部１３２、椀底に相当する部分の一部に湾曲した平面形状で側壁１３５が立設した湾曲部１３４を含む。湾曲部１３４には、コード１７０を収納するために、側壁１３５により囲まれた空間が形成される。イヤホン１００の装着時において、後面部１３２は、ユーザの略背面側に配され、湾曲部１３４は、ユーザの耳介と干渉することなしに、対珠ｂの上部空間に配される。また、湾曲部１３４の下側に位置する後面部１３２は、屈曲部１２４の下側に位置する前面部１２２とともに、珠間切痕ｄ（図１（Ａ）参照）に配される。
【００３２】
後面部１３２は、前面部１２２に略対応する形状を有している。湾曲部１３４の側壁１３５により形成される空間は、屈曲部１２４の側壁１２５により形成される空間と略同一の幅を有しており、両方の空間が接続されて一つの空間が形成されている。
【００３３】
イヤピース１５０は、音導管１４０に取付けられる芯部１５２、芯部１５２の周囲に空間を形成するように、芯部１５２の先端から外側に連設された笠部１５６、音導管１４０の係合凸部１４１に係合するように芯部１５２に設けられた係合凹部１５３ａを含む。イヤピース１５０は、外耳道ａと略同軸をなすように、外耳道ａに挿入され、笠部１５６を介して外耳道ａに装着される。
【００３４】
ブッシング１６０は、取付部１６２、取付部１６２から延設されたコード固定部１６４を含む。取付部１６２は、前面ハウジング１２０の屈曲部１２４に設けられたブッシング取付孔１２７に対して僅かに回動可能な状態で取り付けられる。コード固定部１６４は、ドライバユニット１９０に接続されるコード１７０の引出し位置をハウジング１１０に対して固定する。
【００３５】
前面キャップ１８０は、前面ハウジング１２０の凹部１２３、および屈曲部１２４の側壁１２５により形成された空間を覆うように形成されている。後面キャップ１８５は、前面ハウジング１２０の屈曲部１２４に接続されるように、後面ハウジング１３０の湾曲部１３４の側壁１３５により形成された空間を覆うとともに、その一端に通気孔１８６が形成されている。また、前面キャップ１８０および後面キャップ１８５は、後述するように、前面ハウジング１２０および後面ハウジング１３０に設けられた通気孔１２８、１３６を各々に覆うように形成されている。
【００３６】
コード１７０は、図３に示すように、前面ハウジング１２０の屈曲部１２４の側壁１２５により形成された空間に配されたブッシング１６０の取付部１６２を介して、前面ハウジング１２０の背面側に配され、後面ハウジング１３０の湾曲部１３４の側壁１３５により形成された空間に引き込まれて（コード１７２）、結び玉１７４を介してドライバユニット１９０側のコード１７６と結線される。そして、前面ハウジング１２０および後面ハウジング１３０に前面キャップ１８０および後面キャップ１８５を各々に装着することで、ハウジング１１０の背面側に配されたブッシング１６０およびコード１７０が保護される。
【００３７】
ドライバユニット１９０は、フレーム１９２、マグネット１９４、ポールピース１９６、および振動板１９８で構成される。ドライバユニット１９０では、マグネット１９４により構成される磁気回路中に、ボイスコイル１９９を有する振動板１９８が配置され、コード１７０を介してボイスコイル１９９に供給された音声信号に応じて、振動板１９８が駆動される。ドライバユニット１９０は、フレーム１９２を介して、前面ハウジング１２０と後面ハウジング１３０との間に挟持された状態で、ハウジング１１０に一体化されることで、不要な振動が抑制され、低音域での音質を向上させる。また、ハウジング１１０に収納された状態で、ドライバユニット１９０の前面および後面に空間Ａ、Ｂが各々に形成される。
【００３８】
図３に示すように、本実施形態に係るイヤホン１００は、音導管１４０と振動板１９８との間の配置関係に特徴を有する。すなわち、従来のイヤホン１０では、例えば、図６に示すように、音導管１４は、その中心軸が振動板の中心軸と略平行をなすように配設されていた。しかし、本実施形態に係るイヤホン１００では、音導管１４０は、振動板１９８を振動板１９８の前面側に投影した投影面に相当する、ハウジング１１０上の領域以外にハウジング１１０の外側に向けて突設するように配設されている。
【００３９】
（イヤホンの使用状態）
図４は、本実施形態に係るイヤホン１００の装着状態を示す説明図である。図４に示すように、イヤホン１００は、イヤピース１５０が外耳道ａに装着されることにより、ユーザの耳に装着されるように構成されている。
【００４０】
音導管１４０が外耳道ａと略同軸をなすようにイヤホン１００が装着された状態で、振動板１９８は、その中心軸Ｃ２がユーザの正面方向と略平行をなすように配される。これにより、従来のイヤホン１０に比して、耳介の形状による影響を受け難く、また、ユーザの側面方向にハウジング１１０の幅Ｗ３を拡張することで、耳介との干渉を生じることなしに、ハウジング１１０ひいては振動板１９８を大型化することが可能となる。具体的には、従来のイヤホン１０では、振動板の口径が９ｍｍ程度であったが、本実施形態に係るイヤホン１００では、１６ｍｍ程度まで拡張することができる。これにより、従来のイヤホン１０に比して、その感度を大幅に向上させることができる。
【００４１】
また、イヤホン１００が装着された状態で、振動板１９８が外耳道ａに対して略垂直に配されるので、相対的に、ユーザの正面方向に対してハウジング１１０を薄型化することが可能となる。また、振動板１９８を含むドライバユニット１９０は、図３に示すように、振動板１９８の装着面Ｐが音導管１４０の対向する内面の間に配設された状態で、ハウジング１１０に収納されている。よって、ユーザの正面方向に対してハウジング１１０を薄型化することが可能となる。これにより、従来のイヤホン１０に比して、外耳道ａのより奥部へ音導管１４０を挿入することが可能となり、密閉性を向上させることができる。
【００４２】
音導管１４０に対するイヤピース１５０の取付けに際しては、音導管１４０の係合凸部１４１に、イヤピース１５０の係合凹部１５３ａが係合される。ここで、従来のイヤホン１０では、音導管１４の強度を確保する観点から、比較的厚い部材で構成される音導管１４に係合凹部を設け、イヤピース１５に係合凸部を設ける構成が多用されていた。しかし、音導管１４０を含むハウジング１１０を従来のイヤホン１０より高強度の材料で形成することで、比較的薄い部材で構成される音導管１４０に係合凸部１４１を設け、イヤピース１５０に係合凹部１５３ａを設けるという構成が可能となり、音導管１４０の口径を小さくすることが可能となる。また、音導管１４０の口径を小さくすることで、イヤピース１５０の先端部の口径を小さくすることが可能となる。
【００４３】
ここで、ドライバユニット１９０は、その幅Ｗ３が拡張され、外耳道ａに対して垂直に挿入されるので、イヤホン１００を外耳道ａに装着した状態で、ユーザの側面側にハウジング１１０が突出することになる。しかし、ハウジング１１０が薄型化され、外耳道ａのより奥部へ音導管１４０を挿入することが可能となることで、従来のイヤホン１０に比して、ユーザの側面側へのハウジング１１０の突出を同程度に抑制することが可能となる。
【００４４】
なお、本実施形態に係るイヤホン１００では、音導管１４０は、その中心軸Ｃ１が振動板１９８の中心軸Ｃ２と略平行をなすように配設される代わりに、振動板１９８を振動板１９８の前面側に投影した投影面に相当する、ハウジング１１０上の領域以外にハウジング１１０の外部に向けて突設するように配設されている。このため、従来のイヤホン１０に比して、減衰、干渉などの音響特性上の差異が生じることも懸念されたが、音響特性上の差異を殆ど生じないことが発明者等により確認されている。
【００４５】
（通気抵抗体）
本実施形態に係るイヤホン１００は、振動板１９８の前面空間Ａと後面空間Ｂとの間の通気性を調整可能とする構成にも特徴を有する。
【００４６】
図３に示すように、前面ハウジング１２０の凹部１２３、後面ハウジング１３０の湾曲部１３４、前面ハウジング１２０の屈曲部１２４（図２参照）、後面キャップ１８５、およびフレーム１９２には、通気孔１２８、１３６、１２６、１８６、１９３が形成されている。そして、通気孔１２８、１３６、１９３を覆うように通気抵抗体１２８ａ、１３６ａ、１９３ａが配され、音導管１４０の内部には、通気抵抗体１４０ａが挿入されている。
【００４７】
イヤホン１００では、振動板１９８と、振動板１９８の前面空間Ａおよび後面空間Ｂとの間の共振を利用することで、特定の周波数帯域に「山」をつくり、所望の音質特性を得ることができる。この場合には、振動板１９８の前面空間Ａおよび後面空間Ｂは、通気孔１２８、１３６、１９３に配された通気抵抗体１２８ａ、１３６ａ、１９３ａにより調整される通気性に応じて、音響回路としての特性を決定される。
【００４８】
通気抵抗体１２８ａは、例えば、圧縮ウレタンなどからなり、振動板１９８の前面に形成された空間Ａを、前面ハウジング１２０と前面キャップ１８０との間に形成された空間Ｃに連通させる通気孔１２８を覆うように配される。なお、空間Ｃは、前面ハウジング１２０の屈曲部１２４に設けられた通気孔１２６を介して、外部に連通している。通気抵抗体１２８ａは、通気孔１２８の通気性を調整する機能を有し、主に低音域の音質特性の調整に用いられる。
【００４９】
通気抵抗体１３６ａは、例えば、不織布などからなり、振動板１９８の後面に形成された空間Ｂを、後面ハウジング１３０と後面キャップ１８５との間に形成された空間Ｄに連通させる通気孔１３６を覆うように配される。なお、空間Ｄは、後面キャップ１８５に設けられた通気孔１８６を介して、外部に連通している。通気抵抗体１３６ａは、通気孔１３６の通気性を調整する機能を有し、主に中低音域の音質特性の調整に用いられる。
【００５０】
通気抵抗体１９３ａは、例えば、圧縮可能な発泡ウレタンなどからなり、振動板１９８の前面に形成された空間Ａを、振動板１９８の後面に形成された空間Ｂに連通させる通気孔１９３を覆うように配される。通気抵抗体１９３ａは、通気孔１９３の通気性を調整する機能を有し、通気抵抗体１３６ａとともに、主に中低音域の音質特性の調整に用いられる。
【００５１】
イコライザーとも称される通気抵抗体１４０ａは、例えば、発泡ウレタンなどからなり、振動板１９８の前面に形成された空間Ａと、音導管１４０の外部の空間Ｅとの間に配される。通気抵抗体１４０ａは、振動板１９８の前面の空間Ａと音導管１４０の外部の空間Ｅとの間における空気振動の伝達性を調整する機能を有し、主に中高音域の音質特性の調整に用いられる。
【００５２】
通気抵抗体１９３ａは、フレーム１９２に設けられた通気孔１９３に対して、通気性調整部材１３８、１３９を介して固定されている。通気性調整部材１３８、１３９は、通気孔１９３を覆うように配された通気抵抗体１９３ａを、フレーム１９２に対して押圧する度合いを調整することで、通気抵抗体１９３ａの圧縮率を調整可能なように構成されている。よって、イヤホン１００の製造工程に際して、後面キャップ１８５を後面ハウジング１３０に装着する前に、通気性調整部材１３８、１３９を介して通気抵抗体１９３ａの圧縮率を調整することで、主に中低音域の音質特性の調整が可能となり、製造されたイヤホン１００の音質特性および感度を安定化させることができる。
【００５３】
ここで、図３に示す通気性調整部材１３８、１３９は、後面ハウジング１３０に設けられたネジ穴１３８と、ネジ穴１３８に挿入されるネジ１３９とで構成されている。ネジ１３９は、通気孔１９３と略同一、または通気孔１９３よりも大きな軸断面を有し、先端部が平坦化されている。なお、ネジ１３９の先端部が平坦化される代わりに、ネジ１３９と通気抵抗体１９３ａとの間に当て板などが介されてもよい。また、ネジ穴１３８とネジ１３９との係合面には接着剤が塗布されている。かかる通気性調整部材１３８、１３９を用いることにより、後面ハウジング１３０とネジ１３９との間に隙間が形成され難くなり、音漏れによる音質劣化が生じ難くなる。
【００５４】
なお、通気性調整部材１３８、１３９は、ネジ穴１３８およびネジ１３９で構成される以外にも、通気孔１９３を覆うように配された通気抵抗体１９３ａを、圧縮率を調整可能な状態でフレーム１９２に対して押圧し、圧縮した状態を維持可能な他の部材で構成されてもよい。例えば、通気性調整部材は、予め弾性を調整された板ばねなどの弾性部材と、弾性部材を押付ける部材との組合せ、または、筒状の部材と、そこに圧縮率を調整可能なように段階的に押込まれる部材もしくは材料（接着材など）との組合せなどで構成されてもよい。
【００５５】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【００５６】
例えば、上記実施形態では、音導管１４０の中心軸Ｃ１が振動板１９８の中心軸Ｃ２と略垂直をなすように配設される場合について説明した。しかし、本発明は、かかる場合に限定されず、振動板１９８を振動板１９８の前面側に投影した投影面に相当する、ハウジング１１０上の領域以外にハウジング１１０の外部に向けて突設するように音導管１４０が配設される場合についても、同様に適用可能である。
【００５７】
また、上記実施形態では、イヤホン１００を構成する各部材の材料についても例示的に説明した。しかし、本発明に係るイヤホン１００は、例示された以外の材料からなる各部材により構成されてもよい。
【図面の簡単な説明】
【００５８】
【図１】本実施形態に係るイヤホンの外観図である。
【図２】本実施形態に係るイヤホンの分解斜視図である。
【図３】本実施形態に係るイヤホンの断面図である。
【図４】本実施形態に係るイヤホンの装着状態を示す説明図である。
【図５】従来のイヤホンの外観図である。
【図６】従来のイヤホンの装着状態を示す説明図である。
【符号の説明】
【００５９】
１００    イヤホン
１１０    ハウジング
１３８、１３９    ネジ穴、ネジ（通気性調整部材）
１４０    音導管
１５０    イヤピース（耳介装着部）
１９０    ドライバユニット
１９３    通気孔
１９３ａ    通気抵抗体
１９８    振動板
【図１】
2009055248.tif 000003
【図２】
2009055248.tif 000004
【図３】
2009055248.tif 000005
【図４】
2009055248.tif 000006
【図５】
2009055248.tif 000007
【図６】
2009055248.tif 000008